(57)【要約】【課題】操作者はスライド溝にカードを挿入し、スライドをさせることでカードが有するカード情報を読み取るカード決済端末においてカード情報の読み取りを実行する際のスライド方向に応じてカード決済端末のプログラムや実行処理を決定あるいは変更したいという要望がある。【解決手段】  所定の情報が記録されたカードがスライドされるスライド溝と、前記カードが前記スライド溝に沿って進む第１のスライド方向と前記第１のスライド方向と逆方向に進む第２のスライド方向の各々のスライド方向において前記カードの情報を読み／書きする情報処理部と、  前記カードの前記第１スライド方向または前記第２スライド方向に応じて異なる処理を実行する制御部と、を備える。【選択図】図６
2012203599.tif 000002
【特許請求の範囲】
【請求項１】
所定の情報が記録されたカードがスライドされるスライド溝と、
前記カードが前記スライド溝に沿って進む第１のスライド方向と前記第１のスライド方向と逆方向に進む第２のスライド方向の各々のスライド方向において前記カードの情報を読み／書きする情報処理部と、
前記カードの前記第１スライド方向または前記第２スライド方向に応じて異なる処理を実行する制御部と、
を備えることを特徴とするカード決済端末。
【請求項２】
印字媒体に印字を行う印字部と、をさらに備え
前記制御部は、
前記カードが前記第１スライド方向にて情報処理部が前記カードに記録された情報を読み／書きした場合、前記印字部により領収書を印字発行するよう制御し、前記カードが前記第２スライド方向にて前記情報処理部が前記カードに記録された情報を読み／書きした場合、前記印字部によりレシートを印字発行するよう制御することを特徴とする請求項１記載のカード決済端末。
【請求項３】
外部機器と通信可能であり、前記読取部が前記第１スライド方向又は前記第２スライド方向のいずれかの方向で前記カードに記憶された情報を読み／書きを実行したかを示す読取情報を送信する通信部と、
をさらに備えることを特徴とする請求項１又は２記載のカード決済端末。
【発明の詳細な説明】
【技術分野】
【０００１】
本発明の実施形態は、各種カードに記憶された情報を読み取るカードリーダライタを備えたカード決済端末に関する。
【背景技術】
【０００２】
従来、各種の情報が記憶されたカードがスライドされるスライド溝を有し、このスライド溝にてカードがスライドされることにより、カードから情報を読み取る読取ヘッドを備えたカード決済端末は、読取ヘッドから読み取った情報を用いて種々の情報処理を実行する（例えば、特許文献１）。
【０００３】
この種のカード決済端末は、例えば、商品の販売を行う店舗において、ＰＯＳ（Point of sales）端末、ＥＣＲ（Electric Cash Register）端末等に組み込まれ、または接続されて商品購入時のカード決済の場面に利用されている。
【先行技術文献】
【特許文献】
【０００４】
【特許文献１】特開２００５−１５７４３６公報
【発明の概要】
【発明が解決しようとする課題】
【０００５】
上記カード決済端末において、操作者はスライド溝にカードを挿入し、スライドをさせ、読取ヘッドにてカードが有するカード情報を読み取らせる。
【０００６】
ここで、カードが有するカード情報の読取を行なう際のスライド方向に応じてカード決済端末のプログラムや処理を決定若しくは変更したいという要望がある。
【課題を解決するための手段】
【０００７】
本発明の実施形態にかかるカード決済端末は、所定の情報が記録されたカードがスライドされるスライド溝と、前記カードが前記スライド溝に沿って進む第１のスライド方向と前記第１のスライド方向と逆方向に進む第２のスライド方向の各々のスライド方向において前記カードの情報を読み／書きする情報処理部と、前記カードの前記第１スライド方向または前記第２スライド方向に応じて異なる処理を実行する制御部と、を備える。
【図面の簡単な説明】
【０００８】
【図１】本実施形態に係るカード決済端末の外観を示す図。
【図２】本実施形態に係るカード決済端末の外観を示す図。
【図３】本実施形態に係るカード決済端末の外観を示す図。
【図４】本実施形態に係るスライド溝を示す図。
【図５】本実施形態に係るカード決済端末の制御回路を示すブロック図。
【図６】本実施形態に係る制御部が実行する制御処理を示すフローチャート。
【発明を実施するための形態】
【０００９】
以下、添付図面を参照して、本発明の実施形態に係るカード決済端末の一実施形態を詳細に説明する。本実施形態では、カードから読み取った情報を用いて商品の代金を決済するカード決済端末を一例として説明を行う。
【００１０】
図１乃至図３は、本実施形態に係るカード決済端末１の外観を示す図である。このカード決済端末１は、本体ユニットＡと表示ユニットＢとで構成される。表示ユニットＢは、背面側のヒンジ部２（図２参照）によって本体ユニットＡに対し取り付けられている。このヒンジ部２を軸として、表示ユニットＢは、図２中の矢印Ｐの示す方向に向けて本体ユニットＡから開閉する。
【００１１】
表示ユニットＢの上面には、ＬＣＤ（Liquid Crystal Display）２０、タッチパネル２１、および突出部２３等が設けられている。ＬＣＤ２０は、その表示面がカード決済端末１の正面側に向くように設けられ、商品の販売に関する情報等を選択的に表示する。タッチパネル２１は、ＬＣＤ２０の表示面上に設けられ、ＬＣＤ２０に表示されたＧＵＩ部品のタッチ操作を検出する。
【００１２】
突出部２３は、図１のカード決済端末１を正面側から見た右方に設けられている。突出部２３と表示ユニットＢの本体との間には、スライド溝２４が形成される。表示ユニットＢを閉じた際には、突出部２３が設けられた側の表示ユニットＢ本体の側壁と、本体ユニットＡの側壁とが同一平面上に位置する。したがって、表示ユニットＢが閉じられた状態においては、スライド溝２４の延長線と本体ユニットＡの筐体面とが交わらず、スライドされる長方形状のカードＣ（図２参照）が本体ユニットＡの筐体と接触することはない。また、突出部２３は、カードの読取部の位置を示す刻印２５を有する。
【００１３】
カードリーダライタ２２を構成する磁気ヘッド２２ａ、２２ｂは、スライド溝２４の第１端部Ｓ１（図２参照）と第２端部Ｓ２（図２参照）との間に設けられており、スライド溝２４の第１端部Ｓ１（図２参照）から第２端部Ｓ２（図２参照）側に向かって第１磁気ヘッド２２ａ、第２磁気ヘッド２２ｂとが順番に配置されている。第１磁気ヘッド２２ａ、第２磁気ヘッド２２ｂは、カードＣがスライド溝２４に沿ってスライドされることでカードＣに記憶されている情報を読み取りあるいはカードへの情報の書き込みを行う。なお、スライド溝２４の第１端部Ｓ１（図２４参照）から第２端部Ｓ２（図２参照）に向かう方向を第１方向Ｆ１（図２参照）とする。また、スライド溝２４の第２端部Ｓ２（図２参照）から第１端部Ｓ１（図２参照）に向かう方向を第２方向Ｆ２（図３参照）とする。
【００１４】
本体ユニットＡの筐体には、カード決済端末１への電源供給をオン又はオフする電源スイッチ１０やカード受部１１，１２等が設けられている。カード受部１１，１２は、本体ユニットＡと一体形成されておらず、別部材にて形成され、接着剤等の取り付け手段によって本体ユニットＡに取り付けられている。なお、接着剤に限らず、本体ユニットＡにカード受部１１，１２を取り付けるための溝を設け、この溝にカード受部１１，１２を嵌め合わせること等で取り付けてもよい。
【００１５】
カード受部１１は、スライド溝２４の第１端部Ｓ１側に設けられ、カード受部１２は、スライド溝２４の第２端部Ｓ２側に設けられている。
【００１６】
図５はカード決済端末１の制御回路を示すブロック図である。本体ユニットＡの制御回路は、制御部１３に通信ユニット１５、および電源回路１６等を接続して構成される。表示ユニットＢの制御回路は、ＬＣＤ２０、タッチパネル２１、およびカードリーダライタ２２等で構成されている。なお、カードリーダライタ２２は情報処理部に相当する。また、本体ユニットＡ及び表示ユニットＢの制御回路には、本体ユニットＡ及び表示ユニットＢに設けられた用紙搬送機構やサーマルヘッドによって構成されるプリンタユニット１７が接続されている。
【００１７】
制御部１３は、ＣＰＵ（Central Processing Unit）、ＲＯＭ（Read Only Memory）およびＲＡＭ（Random Access Memory）にて構成され、上記ＲＯＭ等に記憶されたプログラムを実行してカード決済端末１を用いたカード決済処理等の動作を制御する。また、制御部１３は、カードＣがスライドされた方向に応じて実行する処理を決定するよう制御する。
【００１８】
通信ユニット１５は、通信ケーブルを介して店舗内のＬＡＮ（Local Area Network）やインターネット等の外部ネットワークと接続されており、これらネットワークを介して外部サーバ等との通信を行う。例えば、通信ユニット１５は店舗内のＬＡＮを介してＰＯＳ端末３０から商品の決済に関する情報を受信する。ＰＯＳ端末３０は、販売商品の登録業務や入荷商品の検品業務や在庫商品棚卸業務等の処理を実行するものである。また、ＰＯＳ端末３０は、本実施形態のカード決済端末１に対して決済処理に関する種々の情報（購入商品の合計金額に関する情報、カード情報取得命令クレジット決済命令、デビット決済命令等）を送信する。また、カードリーダライタ２２を構成する第１磁気ヘッド２２ａ、第２磁気ヘッド２２ｂにて第１方向Ｆ１又は第２方向Ｆ２のいずれかの方向でカードに記憶された情報の読み取りあるいはカードＣへの書き込みの実行を示す情報を送信する。
【００１９】
電源回路１６は、電源スイッチ１０がオンされたことに応じて商用交流電源等の外部電源またはバッテリから電力を取り込み、本体ユニットＡおよび表示ユニットＢの各部に供給する。
【００２０】
プリンタユニット１７は、図示しない収納部に収納されたロール紙から送り出される感熱紙に対しサーマルヘッドにより熱を加えて文字等のパターンを印刷し、レシート、クレジット伝票及び領収書を発行する。これらレシート、クレジット伝票及び領収書は、表示ユニットＢを閉じた状態で本体ユニットＡと表示ユニットＢとの間に形成される発行口３（図１参照）から発行される。
【００２１】
図６は、制御部１３が実行する処理を示すフローチャートである。カード決済端末１の制御部１３は、電源スイッチ１０がオンされたことを検出すると、システムを起動する（Ａｃｔ６０１）。制御部１３は、ＬＡＮに接続されたＰＯＳ端末３０から決済処理に関する情報を待機する（Ａｃｔ６０２）。決済処理に関する情報とは、例えば、購入商品の合計金額に関する情報、カード情報取得命令、クレジット決済命令、デビット決済命令等がある。
【００２２】
制御部１３は、ＰＯＳ端末３０から通信ユニット１５を介して決済処理に関する情報を受信すると（Ａｃｔ６０２のＹｅｓ）、操作者によりカードＣがスライド溝２４に沿ってスライドされ、カードリーダライタ２２を構成する磁気ヘッドにてカードに記憶されているカード情報の読み取りあるいは書き込みが行われたかを検出する。そして、カードＣのスライド方向が第１方向Ｆ１又は第２方向Ｆ２のいずれの方向でスライドがされたかを検出する（Ａｃｔ６０３）。ここで、本実施形態のカード決済端末１は第１磁気ヘッド２２ａと第２磁気ヘッド２２ｂの２つの磁気リーダライタを有している。カード情報読み取り時のスライド方向の検出は、以下にて行われる。まず、第１磁気ヘッド２２ａによりカード情報が読み取りあるいは書き込みがされた場合、カードが第１方向Ｆ１（第１端部Ｓ１から前記第２端部Ｓ２に向かう方向）にスライドされて読み取りあるいは書き込みが実行されたものと判断し、第２磁気ヘッド２２ｂによりカード情報が読み取りあるいは書き込みがされた場合、カードが第２方向Ｆ２（第２端部Ｓ２から前記第１端部Ｓ１に向かう方向）にスライドされて読み取りあるいは書き込みが実行されたものと判断する。
【００２３】
次に、カードＣがスライド溝２４に沿って第１方向Ｆ１にスライドされ、第１磁気ヘッド２２ａによりカード情報の読み取りが実行されたことを検出すると（Ａｃｔ６０４）、制御部１３は、プリンタユニットの印字部を駆動させて、領収書を印字発行させる（Ａｃｔ６０５）。そして、領収書の印字発行が終了すると、ＰＯＳ端末３０に対して領収書を発行した旨の通知及びカードＣは第１方向Ｆ１にてスライドされた旨の情報を送信する（Ａｃｔ６０６）。
【００２４】
一方、制御部１３は、Ａｃｔ６０３にて、カードＣがスライド溝２４に沿って第２方向Ｆ２にスライドされ、第２磁気ヘッド２２ｂによりカード情報の読み取りが実行されたことを検出すると（Ａｃｔ６０３の第２方向Ｆ２）、プリンタユニットの印字部を駆動させて、レシート又はクレジット伝票等を印字発行させる（Ａｃｔ６０６）。そして、レシート又はクレジット伝票等の印字発行が終了すると、ＰＯＳ端末３０に対してレシート又はクレジット伝票等を発行した旨の通知及びカードＣは第２方向Ｆ２にてスライドされた旨の情報を送信する（Ａｃｔ６０６）。
【００２５】
なお、上記の実施形態に限られることはなく、例えば、第２方向Ｆ２にスライドされて、第２磁気ヘッド２２ｂにてカード情報が読み取られた場合に領収書を印字発行し、第１方向Ｆ１にスライドされて第１磁気ヘッド２２ａにてカード情報が読み取られた場合にレシート、クレジット伝票を印字発行するように構成してもよい。
【００２６】
また、スライド方向の検出に際しては、例えば、反射センサ、透過センサ、圧電センサ等のカードを検出する検出機構を、スライド溝の第１端部Ｓ１付近及び第２端部Ｓ２付近に設けることによって、カードＣがスライド溝２４の第１端部Ｓ１又は第２端部Ｓ２に挿入されたことを検出するように構成してもよい。
【００２７】
以上、本実施形態のカード決済端末によると、カードＣのカード情報読み取りあるいは書き込み時のスライド方向に応じて、制御部が実行する処理が異なるので、操作者の操作性が向上するとともにカード決済端末で実行するアプリケーションを容易に切り替えることができる。また、従来は、領収書を発行する場合は、別途、店員等がＰＯＳ端末で領収書の印字発行のための操作を行うことで領収書の印字を行っていたが、本実施形態によると、カードＣに記憶されているカード読取時のスライド方向に応じて領収書の印字発行及びレシートの印字発行が行われるので、操作者の操作性が向上する。また、スライド方向に応じてカード決済端末で実行するアプリケーションを容易に切り替えることができる。
【００２８】
また、本実施形態のカード決済端末によると外部機器と通信可能であり、磁気リーダにて第１方向又は第２方向のいずれかの方向でカードに記憶された情報の読み取りを実行したかを示す読み取り情報を送信する通信部を有するので、ＰＯＳ端末側にて、カード決済端末の利用状況を確認することが可能となる。
【００２９】
以上、本発明の実施の形態について説明したが、本発明はこれに限定されるものではなく、本発明の主旨を逸脱しない範囲での種々の変更、置換、追加等が可能である。
【符号の説明】
【００３０】
１  カード決済端末
１０  電源スイッチ
１３  制御部
１５  通信ユニット  
２０  ＬＣＤ
２１  タッチパネル
２２  カードリーダライタ（磁気ヘッド）
２３  突起部  
２４  スライド溝
２５  刻印
３０  ＰＯＳ端末  
Ｓ１  第１端部
Ｓ２  第２端部
Ｆ１  第１方向
Ｆ２  第２方向
【図１】
2012203599.tif 000003
【図２】
2012203599.tif 000004
【図３】
2012203599.tif 000005
【図４】
2012203599.tif 000006
【図５】
2012203599.tif 000007
【図６】
2012203599.tif 000008